【手続補正書】
【提出日】平成28年6月1日(2016.6.1)
【手続補正１】
【補正対象書類名】特許請求の範囲
【補正対象項目名】全文
【補正方法】変更
【補正の内容】
【特許請求の範囲】
【請求項１】
熱低減の方法であって、
ワイヤレスモデムに対する低減要求を受信することと、
１つまたは複数のアクティブ接続が、前記ワイヤレスモデムによって現在維持されているかどうかを決定することと、
複数のアクティブ接続が前記ワイヤレスモデムによって現在維持されていることが決定される場合、前記低減要求に応答して２つのアクティブ接続に対する異なるレベルの熱低減を呼び出すことと
を備える、方法。
【請求項２】
前記２つのアクティブ接続に対する前記異なるレベルの熱低減を呼び出すことは、
第１のアクティブ接続に対する第１のレベルの熱低減を呼び出すことと、
第２のアクティブ接続に対する熱低減を呼び出すことを控えることと
を含む、請求項１に記載の方法。
【請求項３】
前記２つのアクティブ接続に対する前記異なるレベルの熱低減が、前記２つのアクティブ接続と関連付けられた優先度に基づいて呼び出される、
請求項１に記載の方法。
【請求項４】
最高の優先度は、音声呼またはビデオ呼をサポートするアクティブ接続に割り当てられる、
請求項３に記載の方法。
【請求項５】
前記２つのアクティブ接続と関連付けられた前記優先度は、前記２つのアクティブ接続と関連付けられたサービス品質の優先度に対応する、
請求項３に記載の方法。
【請求項６】
前記２つのアクティブ接続の各々は、音声呼またはビデオ呼を搬送する、
請求項３に記載の方法。
【請求項７】
前記２つのアクティブ接続に対する前記異なるレベルの熱低減を呼び出すことは、第１のアクティブ接続によって搬送されるビデオ呼または音声呼を終了する一方で、他方のアクティブ接続によって搬送されるビデオ呼または音声呼を維持することを含む、
請求項６に記載の方法。
【請求項８】
前記２つのアクティブ接続に対する前記異なるレベルの熱低減を呼び出すことは、着信中の音声呼または専用の音声サブスクリプションを介して作成された呼を終了することを含む、請求項６に記載の方法。
【請求項９】
前記２つのアクティブ接続に対する前記異なるレベルの熱低減を呼び出すことは、前記音声呼またはビデオ呼のうちの少なくとも１つの潜在的な終了の通知を提供することを含む、
請求項６に記載の方法。
【請求項１０】
前記低減要求のタイプを決定することと、
前記低減要求が最高の優先度のタイプを有すると決定されると、前記ワイヤレスモデムにおいて制限されたサービスモードを開始することとをさらに備える、
請求項１に記載の方法。
【請求項１１】
前記２つのアクティブ接続に対する前記異なるレベルの熱低減を呼び出すことは、１つのアクティブ接続上のフロー制御を開始することを含む、
請求項１に記載の方法。
【請求項１２】
前記２つのアクティブ接続に対する前記異なるレベルの熱低減を呼び出すことは、１つのアクティブ接続上のフロー制御を修正することを含む、
請求項１に記載の方法。
【請求項１３】
前記２つのアクティブ接続に対する前記異なるレベルの熱低減を呼び出すことは、前記ワイヤレスモデムの送信機の電力制限を開始または増加することを含む、
請求項１に記載の方法。
【請求項１４】
第１のアクティブ接続は、デュアルＳＩＭデュアルアクティブ（ＤＳＤＡ）デバイスの第１の加入者識別モジュール（ＳＩＭ）と関連付けられ、
第２のアクティブ接続は、前記ＤＳＤＡデバイスの第２のＳＩＭと関連付けられ、
前記２つのアクティブ接続に対する前記異なるレベルの熱低減は、前記第１のＳＩＭおよび前記第２のＳＩＭに対応するサブスクリプションと関連付けられた優先度に基づいて呼び出される、
請求項１に記載の方法。
【請求項１５】
前記２つのアクティブ接続に対する前記異なるレベルの熱低減を呼び出すことは、
熱的問題に関連する少なくとも１つの電力増幅器を識別することと、
前記少なくとも１つの電力増幅器と関連付けられたアクティブ接続に対する熱低減を呼び出すこととを含む、
請求項１に記載の方法。
【請求項１６】
前記少なくとも１つの電力増幅器を識別することは、前記熱的問題に関連する電力増幅器のグループを識別することを含む、
請求項１５に記載の方法。
【請求項１７】
前記電力増幅器のグループの各々は、集積回路デバイスの共通の熱ゾーン内に配置される、
請求項１６に記載の方法。
【請求項１８】
前記少なくとも１つの電力増幅器は、前記電力増幅器のグループの近傍に物理的に配置された熱センサによって取得された測定値に基づいて識別される、請求項１６に記載の方法。
【請求項１９】
前記少なくとも１つの電力増幅器をデュアルＳＩＭデュアルアクティブ（ＤＳＤＡ）デバイスのサブスクリプションと関連付けることをさらに備え、前記２つのアクティブ接続に対する前記異なるレベルの熱低減は、前記少なくとも１つの電力増幅器と前記サブスクリプションとの間の関連性に基づいて呼び出される、
請求項１５に記載の方法。
【請求項２０】
複数の電力増幅器と、ここにおいて、各電力増幅器は、アクティブ接続と関連付けられる、
プロセッサと
を備え、前記プロセッサは、
ワイヤレスモデムに対する低減要求を受信することと、
１つまたは複数のアクティブ接続が、前記ワイヤレスモデムによって現在維持されているかどうかを決定することと、
複数のアクティブ接続が前記ワイヤレスモデムによって現在維持されていることが決定される場合、前記低減要求に応答して２つのアクティブ接続に対する異なるレベルの熱低減を呼び出すことと
を行うように構成される、ワイヤレスモデム。
【請求項２１】
前記プロセッサは、
第１のアクティブ接続に対する第１のレベルの熱低減を呼び出すことと、
第２のアクティブ接続に対する熱低減を呼び出すことを控えることと
によって前記２つのアクティブ接続に対する前記異なるレベルの熱低減を呼び出すことを行うように構成される、
請求項２０に記載のワイヤレスモデム。
【請求項２２】
前記プロセッサは、前記２つのアクティブ接続と関連付けられた優先度に基づいて前記２つのアクティブ接続に対する前記異なるレベルの熱低減を呼び出すことを行うように構成される、請求項２０に記載のワイヤレスモデム。
【請求項２３】
最高の優先度は、音声呼またはビデオ呼をサポートする前記アクティブ接続に割り当てられる、
請求項２２に記載のワイヤレスモデム。
【請求項２４】
前記２つのアクティブ接続と関連付けられた前記優先度は、前記２つのアクティブ接続と関連付けられたサービス品質の優先度に対応する、
請求項２２に記載のワイヤレスモデム。
【請求項２５】
前記２つのアクティブ接続の各々は、音声呼またはビデオ呼を搬送する、
請求項２２に記載のワイヤレスモデム。
【請求項２６】
前記プロセッサは、第１のアクティブ接続によって搬送されるビデオ呼または音声呼を終了する一方で、他方のアクティブ接続によって搬送されるビデオ呼または音声呼を維持することによって、前記２つのアクティブ接続に対する前記異なるレベルの熱低減を呼び出すことを行うように構成される、
請求項２５に記載のワイヤレスモデム。
【請求項２７】
前記プロセッサは、着信中の音声呼または専用の音声サブスクリプションを介して作成された呼を終了することによって、前記２つのアクティブ接続に対する前記異なるレベルの熱低減を呼び出すことを行うように構成される、
請求項２５に記載のワイヤレスモデム。
【請求項２８】
前記プロセッサは、前記音声呼またはビデオ呼のうちの少なくとも１つの潜在的な終了の通知を提供することによって、前記２つのアクティブ接続に対する前記異なるレベルの熱低減を呼び出すように構成される、
請求項２５に記載のワイヤレスモデム。
【請求項２９】
前記プロセッサは、
前記低減要求のタイプを決定することと、
前記低減要求が最高の優先度のタイプを有すると決定されると、前記ワイヤレスモデムにおいて制限されたサービスモードを開始することとを行うように構成される、
請求項２０に記載のワイヤレスモデム。
【請求項３０】
前記プロセッサは、１つのアクティブ接続上のフロー制御を開始することによって、前記２つのアクティブ接続に対する前記異なるレベルの熱低減を呼び出すことを行うように構成される、
請求項２０に記載のワイヤレスモデム。
【請求項３１】
前記プロセッサは、１つのアクティブ接続上のフロー制御を修正することによって、前記２つのアクティブ接続に対する前記異なるレベルの熱低減を呼び出すことを行うように構成される、
請求項２０に記載のワイヤレスモデム。
【請求項３２】
前記プロセッサは、前記ワイヤレスモデムの送信機の電力制限を開始または増加することによって、前記２つのアクティブ接続に対する前記異なるレベルの熱低減を呼び出すことを行うように構成される、
請求項２０に記載のワイヤレスモデム。
【請求項３３】
第１のアクティブ接続は、デュアルＳＩＭデュアルアクティブ（ＤＳＤＡ）デバイスの第１の加入者識別モジュール（ＳＩＭ）と関連付けられ、
第２のアクティブ接続は、前記ＤＳＤＡデバイスの第２のＳＩＭと関連付けられ、
前記プロセッサは、前記第１のＳＩＭおよび前記第２のＳＩＭに対応するサブスクリプションと関連付けられた優先度に基づいて、前記２つのアクティブ接続に対する前記異なるレベルの熱低減を呼び出すことを行うように構成される、
請求項２０に記載のワイヤレスモデム。
【請求項３４】
前記プロセッサは、
熱的問題に関連する少なくとも１つの電力増幅器を識別することと、
前記少なくとも１つの電力増幅器と関連付けられた前記アクティブ接続に対する熱低減を呼び出すことと
によって、前記２つのアクティブ接続に対する前記異なるレベルの熱低減を呼び出すことを行うように構成される、
請求項２０に記載のワイヤレスモデム。
【請求項３５】
前記プロセッサは、前記熱的問題に関連する電力増幅器のグループを識別することによって、前記少なくとも１つの電力増幅器を識別することを行うように構成される、請求項３４に記載のワイヤレスモデム。
【請求項３６】
前記電力増幅器のグループの各々は、集積回路デバイスの共通の熱ゾーン内に配置される、
請求項３５に記載のワイヤレスモデム。
【請求項３７】
前記プロセッサは、前記電力増幅器のグループの近傍に物理的に配置された熱センサによって取得された測定値に基づいて、前記少なくとも１つの電力増幅器を識別することを行うように構成される、
請求項３５に記載のワイヤレスモデム。
【請求項３８】
前記プロセッサは、前記少なくとも１つの電力増幅器をデュアルＳＩＭデュアルアクティブ（ＤＳＤＡ）デバイスのサブスクリプションと関連付けることを行うように構成され、前記プロセッサは、前記少なくとも１つの電力増幅器と前記サブスクリプションとの間の関連性に基づいて、前記２つのアクティブ接続に対する前記異なるレベルの熱低減を呼び出すことを行うように構成される、
請求項３４に記載のワイヤレスモデム。
【請求項３９】
ワイヤレス通信のための装置であって、
ワイヤレスモデムに対する低減要求を受信するための手段と、
１つまたは複数のアクティブ接続が、前記ワイヤレスモデムによって現在維持されているかどうかを決定するための手段と、
複数のアクティブ接続が前記ワイヤレスモデムによって現在維持されていることが決定される場合、前記低減要求に応答して２つのアクティブ接続に対する異なるレベルの熱低減を呼び出すための手段と
を備える、装置。
【請求項４０】
前記２つのアクティブ接続に対する前記異なるレベルの熱低減を呼び出すための手段は、前記低減要求に応答して、第１のアクティブ接続に対する第１のレベルの熱低減を呼び出し、第２のアクティブ接続に対する熱低減を呼び出すことを控えるための手段を備える、
請求項３９に記載の装置。
【請求項４１】
前記２つのアクティブ接続に対する前記異なるレベルの熱低減は、前記２つのアクティブ接続と関連付けられた優先度に基づいて呼び出される、請求項３９に記載の装置。
【請求項４２】
最高の優先度は、音声呼またはビデオ呼をサポートするアクティブ接続に割り当てられる、
請求項４１に記載の装置。
【請求項４３】
前記２つのアクティブ接続と関連付けられた前記優先度は、前記２つのアクティブ接続と関連付けられたサービス品質の優先度に対応する、
請求項４１に記載の装置。
【請求項４４】
前記２つのアクティブ接続の各々は、音声呼またはビデオ呼を搬送する、
請求項４１に記載の装置。
【請求項４５】
前記２つのアクティブ接続に対する前記異なるレベルの熱低減を呼び出すための手段は、前記低減要求に応答して、第１のアクティブ接続によって搬送されるビデオ呼または音声呼を終了し、他方のアクティブ接続によって搬送されるビデオ呼または音声呼を維持するための手段を備える、
請求項４４に記載の装置。
【請求項４６】
前記２つのアクティブ接続に対する前記異なるレベルの熱低減を呼び出すための手段は、前記低減要求に応答して、着信中の音声呼または専用の音声サブスクリプションを介して作成された呼を終了するための手段を備える、
請求項４４に記載の装置。
【請求項４７】
前記２つのアクティブ接続に対する前記異なるレベルの熱低減を呼び出すための手段は、前記低減要求に応答して前記音声呼またはビデオ呼のうちの少なくとも１つの潜在的な終了の通知を提供するための手段を備える、
請求項４４に記載の装置。
【請求項４８】
前記低減要求のタイプを決定するための手段と、
前記低減要求が最高の優先度のタイプを有すると決定されると、前記ワイヤレスモデムにおいて制限されたサービスモードを開始するための手段とをさらに備える、
請求項３９に記載の装置。
【請求項４９】
前記２つのアクティブ接続に対する前記異なるレベルの熱低減を呼び出すための手段は、前記低減要求に応答して、１つのアクティブ接続上のフロー制御を開始するための手段を備える、
請求項３９に記載の装置。
【請求項５０】
前記２つのアクティブ接続に対する前記異なるレベルの熱低減を呼び出すための手段は、前記低減要求に応答して、１つのアクティブ接続上のフロー制御を修正するための手段を備える、
請求項３９に記載の装置。
【請求項５１】
前記２つのアクティブ接続に対する前記異なるレベルの熱低減を呼び出すための手段は、前記低減要求に応答して、前記ワイヤレスモデムの送信機の電力制限を模倣または増加するための手段を備える、
請求項３９に記載の装置。
【請求項５２】
第１のアクティブ接続は、デュアルＳＩＭデュアルアクティブ（ＤＳＤＡ）デバイスの第１の加入者識別モジュール（ＳＩＭ）と関連付けられ、
第２のアクティブ接続は、前記ＤＳＤＡデバイスの第２のＳＩＭと関連付けられ、
前記２つのアクティブ接続に対する前記異なるレベルの熱低減は、前記第１のＳＩＭおよび前記第２のＳＩＭに対応するサブスクリプションと関連付けられた優先度に基づいて呼び出される、
請求項３９に記載の装置。
【請求項５３】
前記２つのアクティブ接続に対する前記異なるレベルの熱低減を呼び出すための手段は、
熱的問題に関連する少なくとも１つの電力増幅器を識別することと、
前記少なくとも１つの電力増幅器と関連付けられたアクティブ接続に対する熱低減を呼び出すことと
によって、前記低減要求に応答するための手段を備える、請求項３９に記載の装置。
【請求項５４】
前記少なくとも１つの電力増幅器は、前記熱的問題に関連する電力増幅器のグループ内で識別される、
請求項５３に記載の装置。
【請求項５５】
前記電力増幅器のグループの各々は、集積回路デバイスの共通の熱ゾーン内に配置される、
請求項５４に記載の装置。
【請求項５６】
前記少なくとも１つの電力増幅器は、前記電力増幅器のグループの近傍に物理的に配置された熱センサによって取得された測定値に基づいて識別される、
請求項５４に記載の装置。
【請求項５７】
前記少なくとも１つの電力増幅器をデュアルＳＩＭデュアルアクティブ（ＤＳＤＡ）デバイスのサブスクリプションと関連付けるための手段をさらに備え、前記２つのアクティブ接続に対する前記異なるレベルの熱低減は、前記少なくとも１つの電力増幅器と前記サブスクリプションとの間の関連性に基づいて選択される、
請求項５３に記載の装置。
【請求項５８】
１つまたは複数の命令をその上に記憶している非一時的プロセッサ可読記憶媒体であって、前記命令が、少なくとも１つの処理回路によって実行されると、前記少なくとも１つの処理回路に、
ワイヤレスモデムに対する低減要求を受信することと、
１つまたは複数のアクティブ接続が、前記ワイヤレスモデムによって現在維持されているかどうかを決定することと、
複数のアクティブ接続が前記ワイヤレスモデムによって現在維持されていることが決定される場合、前記低減要求に応答して２つのアクティブ接続に対する異なるレベルの熱低減を呼び出すことと
を行わせる、非一時的プロセッサ可読記憶媒体。
【請求項５９】
前記記憶された１つまたは複数の命令は、少なくとも１つの処理回路によって実行されると、前記少なくとも１つの処理回路に、
第１のアクティブ接続に対する第１のレベルの熱低減を呼び出すことと、
第２のアクティブ接続に対する熱低減を呼び出すことを控えることと
を行わせる、請求項５８に記載の非一時的プロセッサ可読記憶媒体。
【請求項６０】
前記２つのアクティブ接続に対する前記異なるレベルの熱低減は、前記２つのアクティブ接続と関連付けられた優先度に基づいて選択される、
請求項５８に記載の非一時的プロセッサ可読記憶媒体。
【請求項６１】
最高の優先度は、音声呼またはビデオ呼をサポートするアクティブ接続に割り当てられる、
請求項６０に記載の非一時的プロセッサ可読記憶媒体。
【請求項６２】
前記２つのアクティブ接続と関連付けられた前記優先度は、前記２つのアクティブ接続と関連付けられたサービス品質の優先度に対応する、
請求項６０に記載の非一時的プロセッサ可読記憶媒体。
【請求項６３】
前記２つのアクティブ接続の各々は、音声呼またはビデオ呼を搬送する、
請求項６０に記載の非一時的プロセッサ可読記憶媒体。
【請求項６４】
前記記憶された１つまたは複数の命令は、少なくとも１つの処理回路によって実行されると、前記少なくとも１つの処理回路に、第１のアクティブ接続によって搬送されるビデオ呼または音声呼を終了し、他方のアクティブ接続によって搬送されるビデオ呼または音声呼を維持することによって、前記低減要求に対して応答することを行わせる、
請求項６３に記載の非一時的プロセッサ可読記憶媒体。
【請求項６５】
前記記憶された１つまたは複数の命令が、少なくとも１つの処理回路によって実行されると、前記少なくとも１つの処理回路に、着信中の音声呼または専用の音声サブスクリプションを介して作成された呼を終了することによって、前記低減要求に対して応答することを行わせる、
請求項６３に記載の非一時的プロセッサ可読記憶媒体。
【請求項６６】
前記記憶された１つまたは複数の命令は、少なくとも１つの処理回路によって実行されると、前記少なくとも１つの処理回路に、前記音声呼またはビデオ呼のうちの少なくとも１つの潜在的な終了の通知を提供することによって、前記低減要求に対して応答することを行わせる、
請求項６３に記載の非一時的プロセッサ可読記憶媒体。
【請求項６７】
前記記憶された１つまたは複数の命令は、少なくとも１つの処理回路によって実行されると、前記少なくとも１つの処理回路に、
前記低減要求のタイプを決定することと、
前記低減要求が最高の優先度のタイプを有すると決定されると、前記ワイヤレスモデムにおいて制限されたサービスモードを開始することとを行わせる、
請求項５８に記載の非一時的プロセッサ可読記憶媒体。
【請求項６８】
前記記憶された１つまたは複数の命令は、少なくとも１つの処理回路によって実行されると、前記少なくとも１つの処理回路に、１つのアクティブ接続上のフロー制御を開始することによって、前記低減要求に対して応答することを行わせる、
請求項５８に記載の非一時的プロセッサ可読記憶媒体。
【請求項６９】
前記記憶された１つまたは複数の命令は、少なくとも１つの処理回路によって実行されると、前記少なくとも１つの処理回路に、１つのアクティブ接続上のフロー制御を修正することによって、前記低減要求に対して応答することを行わせる、
請求項５８に記載の非一時的プロセッサ可読記憶媒体。
【請求項７０】
前記非一時的プロセッサ可読記憶媒体は、１つまたは複数の命令を有し、前記命令は、少なくとも１つの処理回路によって実行されると、前記少なくとも１つの処理回路に、前記ワイヤレスモデムの送信機の電力制限を開始または増加することによって、前記低減要求に対して応答することを行わせる、
請求項５８に記載の非一時的プロセッサ可読記憶媒体。
【請求項７１】
第１のアクティブ接続は、デュアルＳＩＭデュアルアクティブ（ＤＳＤＡ）デバイスの第１の加入者識別モジュール（ＳＩＭ）と関連付けられ、
第２のアクティブ接続は、前記ＤＳＤＡデバイスの第２のＳＩＭと関連付けられ、
前記非一時的プロセッサ可読記憶媒体が１つまたは複数の命令を有し、前記命令は、少なくとも１つの処理回路によって実行されると、前記少なくとも１つの処理回路に、前記第１のＳＩＭおよび前記第２のＳＩＭに対応するサブスクリプションと関連付けられた優先度に基づいて、前記２つのアクティブ接続に対する前記異なるレベルの熱低減を呼び出すことによって、前記低減要求に対して応答することを行わせる、
請求項５８に記載の非一時的プロセッサ可読記憶媒体。
【請求項７２】
前記記憶された１つまたは複数の命令は、少なくとも１つの処理回路によって実行されると、前記少なくとも１つの処理回路に、
熱的問題に関連する少なくとも１つの電力増幅器を識別することと、
前記少なくとも１つの電力増幅器と関連付けられたアクティブ接続に対する熱低減を呼び出すことと
によって、前記低減要求に対して応答することを行わせる、請求項５８に記載の非一時的プロセッサ可読記憶媒体。
【請求項７３】
前記記憶された１つまたは複数の命令は、少なくとも１つの処理回路によって実行されると、前記少なくとも１つの処理回路に、前記熱的問題に関連する電力増幅器のグループを識別することによって、前記低減要求に対して応答することを行わせる、請求項７２に記載の非一時的プロセッサ可読記憶媒体。
【請求項７４】
前記電力増幅器のグループの各々は、集積回路デバイスの共通の熱ゾーン内に配置される、
請求項７３に記載の非一時的プロセッサ可読記憶媒体。
【請求項７５】
前記少なくとも１つの電力増幅器は、前記電力増幅器のグループの近傍に物理的に配置された熱センサによって取得された測定値に基づいて識別される、
請求項７３に記載の非一時的プロセッサ可読記憶媒体。
【請求項７６】
前記記憶された１つまたは複数の命令は、少なくとも１つの処理回路によって実行されると、前記少なくとも１つの処理回路に、
前記少なくとも１つの電力増幅器をデュアルＳＩＭデュアルアクティブ（ＤＳＤＡ）デバイスのサブスクリプションと関連付けることと、
前記少なくとも１つの電力増幅器と前記サブスクリプションとの間の関連性に基づいて、前記２つのアクティブ接続に対する前記異なるレベルの熱低減を呼び出すことと
を行わせる、請求項７２に記載の非一時的プロセッサ可読記憶媒体。